(57)【特許請求の範囲】
【請求項１】
外壁用化粧板を中空セメント板に固定する取り付け構造であって、
筒状胴部の基端に向かって固定用フランジと当該固定用フランジに平行な係合用フランジとが同軸上に順次並設されており、前記中空セメント板に穿設されたリベット穴に前記筒状胴部の先端を前記固定用フランジが当接するまで挿入した状態で、前記中空セメント板に固定されるリベットと、
外壁用化粧板裏面の少なくとも上端に固定され、当該外壁用化粧板裏面に対して挿入間隙を隔てて位置される係合板を備え、当該係合板に前記係合用フランジの挿入可能な挿入穴と、当該挿入穴の上方に配置され、前記固定用フランジと前記係合用フランジとの間の溝部分に嵌め込まれる当該係合用フランジよりも小さい径の係合穴とが接続して穿設してなる留付金具と、
外壁用化粧板裏面の下端に固定され、該留付金具の前記挿入間隙に進入する先端部を外壁用化粧板裏面下端から突出させる差し込み金具とを備え、
前記リベットの前記係合用フランジを前記挿入穴に挿入し、前記係合用フランジと前記固定用フランジとの間に前記挿入穴が配置された状態で、前記外壁用化粧板を下方に移動させて、前記挿入穴に接続された前記係合穴に前記リベットを嵌め込むことで、前記外壁用化粧板の上端を固定するとともに、前記留付金具の挿入間隙に差し込み金具の先端を挿入することで、前記外壁用化粧板の下端を前記中空セメント板に固定してなることを特徴とする外壁用化粧板の取付構造。
【請求項２】
請求項１記載の外壁用化粧板の取付構造において、
前記中空セメント板と前記外壁用セメント板の間に、沈み止め材と当該中空セメント板に接着された弾性接着材とが配置されている
ことを特徴とする外壁用化粧板の取付構造。
【請求項３】
外壁用化粧板を中空セメント板に固定する取り付け構造であって、
筒状胴部の基端に向かって固定用フランジと当該固定用フランジに平行な係合用フランジとが同軸上に順次並設されており、前記中空セメント板に穿設されたリベット穴に前記筒状胴部の先端を前記固定用フランジが当接するまで挿入した状態で、前記中空セメント板の上下二箇所に固定されるリベットと、
外壁用化粧板裏面の上下二箇所に固定され、当該外壁用化粧板裏面に対して挿入間隙を隔てて位置される係合板を備え、当該係合板に前記係合用フランジの挿入可能な挿入穴と、当該挿入穴の上方に配置され、前記固定用フランジと前記係合用フランジとの間の溝部分に嵌め込まれる当該係合用フランジよりも小さい径の係合穴とが接続して穿設してなる留付金具とを備え、
前記リベットの前記係合用フランジを前記挿入穴に挿入し、前記係合用フランジと前記固定用フランジとの間に前記挿入穴が配置された状態で、前記外壁用化粧板を下方に移動させて、前記挿入穴に接続された前記係合穴に前記リベットを嵌め込むことで、前記外壁用化粧板の上下端を固定してなることを特徴とする外壁用化粧板の取付構造。
【請求項４】
請求項３記載の外壁用化粧板の取付構造において、
前記中空セメント板と前記外壁用セメント板の間に、沈み止め材と当該中空セメント板に接着された弾性接着材とが配置されている
ことを特徴とする外壁用化粧板の取付構造。
【請求項５】
中空セメント板への外壁用化粧板の取付けに用いる取付具であって、
筒状胴部の基端に向かって固定用フランジと当該固定用フランジに平行な係合用フランジとが同軸上に順次並設されており、前記中空セメント板に穿設されたリベット穴に前記筒状胴部の先端を前記固定用フランジが当接するまで挿入した状態で、前記中空セメント板に固定されるリベットと、
外壁用化粧板裏面の少なくとも上端に固定され、当該外壁用化粧板裏面に対して挿入間隙を隔てて位置される係合板を備え、当該係合板に前記係合用フランジの挿入可能な挿入穴と、当該挿入穴の上方に配置され、前記固定用フランジと前記係合用フランジとの間の溝部分に嵌め込まれる当該係合用フランジよりも小さい径の係合穴とを接続して穿設してなる留付金具と、
外壁用化粧板裏面の下端に固定され、該留付金具の前記挿入間隙に進入する先端部を外壁用化粧板裏面下端から突出させる差し込み金具と
を具備したことを特徴とする外壁用化粧板の取付具。
【請求項６】
中空セメント板に固定され、留付金具が固定された外壁用化粧板の取り付けに用いるリベットであって、
筒状胴部の基端に向かって固定用フランジと当該固定用フランジに平行な係合用フランジとが同軸上に順次並設されており、前記中空セメント板に穿設されたリベット穴に、前記筒状胴部の先端を前記固定用フランジが当接するまで挿入し、基端より突出した脚部を抜き切ることで、前記筒状胴部の先端を前記リベット穴の裏面側で半径方向外側に膨出させ、該膨出部と前記固定用フランジとで前記リベット穴周縁を挟持して前記中空セメント板に固定されるとともに、前記固定用フランジと前記係合用フランジとの間の溝部分に、前記留付金具に穿設された前記係合用フランジの径より小さい穴が嵌め込まれる
ことを特徴とするリベット。
【発明の詳細な説明】
【０００１】
【発明の属する技術分野】
本発明は、石板、陶板、大型タイル、セラミック板などを建物の外壁面に取り付ける外壁用化粧板の取付構造及びそれに用いる取付具並びにリベットに関するものである。
【０００２】
【従来の技術】
建物の外壁面に取り付ける外壁用化粧板は、小型のものでは接着用の下地モルタルに手貼りにより貼り付ける湿式工法が一般的であるが、大型のものではその重量により高い支持力が要求されるため、取付具を用いて構造的に支持する乾式工法が採られる。この種の取付具には、例えば図７に示すものがある。この取付具１は、外壁用化粧板３の裏面を把持するようにして取り付けられる把持金具５と、建物の外壁面７に固定するＬ字金具９と、把持金具５をこのＬ字金具９に固定するＴ字金具１１とにより概略構成される。
【０００３】
把持金具５は、図８に示すように把持爪１３を有した一対の基体１５と、この基体１５を把持爪１３が外側になるように連結する固定ボルト１７と、掛止溝１９を有しこの固定ボルト１７に貫通されて基体１５に挟持される掛止金具２１とからなる。
【０００４】
この取付具１を用いて外壁用化粧板３を建物の外壁面７に取り付けるには、外壁用化粧板３の裏面に鉛直方向で形成した平行な溝に、把持金具５の把持爪１３を挿入し、固定ボルト１７を締めることで、把持金具５を予め外壁用化粧板３の上下端に取り付けておく。この際、上端に取り付けた把持金具５の掛止金具２１は掛止溝１９が上に開口するように取付け、下端に取り付けた把持金具５の掛止金具２１は掛止溝１９が下に開口するように取付けておく。
【０００５】
一方、外壁面７には、Ｌ字金具９を予め固定しておく。不図示の部分で下端の固定された外壁用化粧板３ａは、掛止金具２１の掛止溝１９にＴ字金具１１の垂直片１１ａを挿入し、Ｔ字金具１１をＬ字金具９にビス固定することで、Ｔ字金具１１、Ｌ字金具９を介して上端を外壁面７に固定する。上方で隣接する外壁用化粧板３ｂは、掛止金具２１の掛止溝１９をＴ字金具１１の垂直片１１ｂに挿入することで、Ｔ字金具１１、Ｌ字金具９を介して下端を外壁面７に固定する。外壁用化粧板３ｂの上端は外壁用化粧板３ａの上端と同様にＴ字金具１１を用いてＬ字金具９に固定し、以下同様にして、複数の外壁用化粧板３を外壁面７の上方へ連続して取り付けていた。
【０００６】
【発明が解決しようとする課題】
しかしながら、上述した取付具１は、把持金具５、Ｌ字金具９、Ｌ字金具９、ビス、アンカーの多数の部品からなり、更に、把持金具５も一対の基体１５、固定ボルト１７、掛止金具２１の複数の部品からなるため、部品点数が多くなり、しかも、把持金具５は形状が複雑であるため、取付具全体の部品コストが高価になった。
そして、部品点数が多くなるため、部品管理が煩雑になるとともに、施工現場においては作業性を低下させる問題があった。
また、上述の取付具１では、外壁用化粧板３の上端を取り付ける毎に、Ｔ字金具１１をＬ字金具９に位置調整しながらビス固定しなければならないため、取り付け施工が煩雑であり、これも作業性を低下させる要因となった。
更に、上述の取付具１は、Ｌ字金具９を建物の躯体面（外壁面７）に固定する場合、アンカー２３を用いなければならず、また、不図示の中空セメント板へ固定する場合、ボルト、ナットを用いなければならないため、これも作業性を低下させる要因となった。
本発明は上記状況に鑑みてなされたもので、少ない部品点数で構成でき、部品コストを安価にすることができるとともに作業が容易となり、しかも、外壁用化粧板取り付け毎の位置調整が不要となる外壁用化粧板の取付構造及びそれに用いる取付具並びにリベットを提供し、部品コストの低減、作業性の向上を図ることを目的とする。
【０００７】
【課題を解決するための手段】
上記目的を達成するための本発明に係る外壁用化粧板の取付構造は、外壁用化粧板を中空セメント板に固定する取り付け構造であって、筒状胴部の基端に向かって固定用フランジと当該固定用フランジに平行な係合用フランジとが同軸上に順次並設されており、前記中空セメント板に穿設されたリベット穴に前記筒状胴部の先端を前記固定用フランジが当接するまで挿入した状態で、前記中空セメント板に固定されるリベットと、外壁用化粧板裏面の少なくとも上端に固定され、当該外壁用化粧板裏面に対して挿入間隙を隔てて位置される係合板を備え、当該係合板に前記係合用フランジの挿入可能な挿入穴と、当該挿入穴の上方に配置され、前記固定用フランジと前記係合用フランジとの間の溝部分に嵌め込まれる当該係合用フランジよりも小さい径の係合穴とが接続して穿設してなる留付金具と、外壁用化粧板裏面の下端に固定され、該留付金具の前記挿入間隙に進入する先端部を外壁用化粧板裏面下端から突出させる差し込み金具とを備え、前記リベットの前記係合用フランジを前記挿入穴に挿入し、前記係合用フランジと前記固定用フランジとの間に前記挿入穴が配置された状態で、前記外壁用化粧板を下方に移動させて、前記挿入穴に接続された前記係合穴に前記リベットを嵌め込むことで、前記外壁用化粧板の上端を固定するとともに、前記留付金具の挿入間隙に差し込み金具の先端を挿入することで、前記外壁用化粧板の下端を前記中空セメント板に固定してなることを特徴とするものである。
【０００８】
この取付構造では、中空セメント板に固定したリベットの係合用フランジに留付金具が係合され、留付金具の挿入間隙に差し込み金具の先端が挿入されることにより、少ない部品点数の取付具で容易に外壁用化粧板の上下端が中空セメント板に固定されることになる。
【０００９】
また、本発明に係る外壁用化粧板の取付構造は、外壁用化粧板を中空セメント板に固定する取り付け構造であって、筒状胴部の基端に向かって固定用フランジと当該固定用フランジに平行な係合用フランジとが同軸上に順次並設されており、前記中空セメント板に穿設されたリベット穴に前記筒状胴部の先端を前記固定用フランジが当接するまで挿入した状態で、前記中空セメント板の上下二箇所に固定されるリベットと、外壁用化粧板裏面の上下二箇所に固定され、当該外壁用化粧板裏面に対して挿入間隙を隔てて位置される係合板を備え、当該係合板に前記係合用フランジの挿入可能な挿入穴と、当該挿入穴の上方に配置され、前記固定用フランジと前記係合用フランジとの間の溝部分に嵌め込まれる当該係合用フランジよりも小さい径の係合穴とが接続して穿設してなる留付金具とを備え、前記リベットの前記係合用フランジを前記挿入穴に挿入し、前記係合用フランジと前記固定用フランジとの間に前記挿入穴が配置された状態で、前記外壁用化粧板を下方に移動させて、前記挿入穴に接続された前記係合穴に前記リベットを嵌め込むことで、前記外壁用化粧板の上下端を固定してなることを特徴としてもよい。
【００１０】
この取付構造では、外壁用化粧板裏面の上下二箇所に留付金具が固定され、中空セメント板に固定した一対のリベットに、上下一対の留付金具が係合されて、外壁用化粧板が差し込み金具を用いずに中空セメント板に固定され、中空セメント板の目地で差し込み金具が露出することがない。
【００１１】
本発明に係る取付具は、中空セメント板への外壁用化粧板の取付けに用いる取付具であって、筒状胴部の基端に向かって固定用フランジと当該固定用フランジに平行な係合用フランジとが同軸上に順次並設されており、前記中空セメント板に穿設されたリベット穴に前記筒状胴部の先端を前記固定用フランジが当接するまで挿入した状態で、前記中空セメント板に固定されるリベットと、外壁用化粧板裏面の少なくとも上端に固定され、当該外壁用化粧板裏面に対して挿入間隙を隔てて位置される係合板を備え、当該係合板に前記係合用フランジの挿入可能な挿入穴と、当該挿入穴の上方に配置され、前記固定用フランジと前記係合用フランジとの間の溝部分に嵌め込まれる当該係合用フランジよりも小さい径の係合穴とを接続して穿設してなる留付金具と、外壁用化粧板裏面の下端に固定され、該留付金具の前記挿入間隙に進入する先端部を外壁用化粧板裏面下端から突出させる差し込み金具とを具備したことを特徴とするものである。
【００１２】
この取付具では、リベット、留付金具、差し込み金具のみの少ない部品点数で外壁用化粧板の取り付けができ、容易な作業が可能になるとともに、それぞれが単品部品であるので、製造も容易となる。
【００１３】
本発明に係るリベットは、中空セメント板に固定され、留付金具が固定された外壁用化粧板の取り付けに用いるリベットであって、筒状胴部の基端に向かって固定用フランジと当該固定用フランジに平行な係合用フランジとが同軸上に順次並設されており、前記中空セメント板に穿設されたリベット穴に、前記筒状胴部の先端を前記固定用フランジが当接するまで挿入し、基端より突出した脚部を抜き切ることで、前記筒状胴部の先端を前記リベット穴の裏面側で半径方向外側に膨出させ、該膨出部と前記固定用フランジとで前記リベット穴周縁を挟持して前記中空セメント板に固定されるとともに、前記固定用フランジと前記係合用フランジとの間の溝部分に、前記留付金具に穿設された前記係合用フランジの径より小さい穴が嵌め込まれることを特徴とするものである。
【００１４】
このリベットでは、胴部の基端に固定用フランジと、係合用フランジとが設けられ、先端をリベット穴に挿入して専用治具で脚部を抜き切ることにより、先端と固定用フランジとがリベット穴の周縁を挟持して、係合用フランジが中空セメント板から突出した状態で固定される。
【００１５】
【発明の実施の形態】
以下、本発明に係る外壁用化粧板の取付構造及びそれに用いる取付具並びにリベットの好適な実施の形態を陶板を例として図面を参照して詳細に説明する。
図１は本発明に係る陶板の取付構造を示す断面図、図２は図１の取付構造のＡ−Ａ矢視図、図３は図１の取付構造に用いるリベットの側面図、図４は図３のリベットを中空セメント板に固定した状態の側面図、図５は図１の取付構造に用いる留付金具及び差し込み金具の斜視図である。
取付具３１は、中空セメント板３３に固定されるリベット３５と、陶板３７に固定される留付金具３９及び差し込み金具４１とからなる。
【００１６】
リベット３５は、図３に示すように筒状胴部３５ａの基端に向かって固定用フランジ３５ｂと、この固定用フランジ３５ｂに平行な係合用フランジ３５ｃとを同軸上に順次並設してある。胴部３５ａの外周には、留め付け部３５ｄとなる先端部を除いて軸心方向のローレットを形成してある。従って、胴部３５ａは、留め付け部３５ｄの軸心方向の圧縮強度が他の部分に比べて低くなっている。
【００１７】
胴部３５ａには頭部３５ｅを有するマンドレル３５ｆを先端側から挿入してあり、マンドレル３５ｆは脚部３５ｇを基端から突出している。マンドレル３５ｆには、胴部３５ａの内部で不図示となった低強度部を形成してある。
【００１８】
このリベット３５を中空セメント板３３に固定するには、図４に示すように中空セメント板３３に予め穿設したリベット穴３３ａに、先端を挿入し、固定用フランジ３５ｂを中空セメント板３３の陶板取付側の面に当接する。
【００１９】
次いで、不図示の治具（リベッター）で、固定用フランジ３５ｂを中空セメント板３３に押し付けながら脚部３５ｇを引っ張る。脚部３５ｇが引っ張られることで、圧縮強度の低い留め付け部３５ｄは、頭部３５ｅにより圧縮変形されて拡径したフランジ状の膨出部３５ｈとなる。これにより、リベット３５は、膨出部３５ｈと固定用フランジ３５ｂとでリベット穴３３ａの周縁を挟持して、中空セメント板３３に固定されることになる。
【００２０】
なお、マンドレル３５ｆは、頭部３５ｅの移動が胴部３５ａの高強度部によって阻止され、更にリベッターで引っ張られることにより、不図示の低強度部で抜き切られ（破断され）、胴部３５ａの基端から除去される。従って、胴部３５ａの基端からは、係合用フランジ３５ｃのみが突出した状態となる。
【００２１】
図５に示すように留付金具３９は、中央の係合板３９ａと、この係合板３９ａの両側縁を係合板３９ａと平行に同一面側に曲げた固定板３９ｂとからなる。従って、固定板３９ｂを陶板３７の裏面に当接することにより、陶板裏面と係合板３９ａとの間には、挿入間隙３９ｃが形成されるようになっている。
【００２２】
固定板３９ｂには、陶板用リベット４３（図１参照）を挿入する透孔３９ｄを穿設してある。係合板３９ａには、リベット３５の係合用フランジ３５ｃの挿入可能な挿入穴３９ｅと、係合用フランジ３５ｃの係合可能な係合穴３９ｆとを接続して穿設してある。係合穴３９ｆは、挿入間隙３９ｃを上下方向に向けた姿勢で（図５に示した姿勢）、挿入穴３９ｅの上側となるように形成してある。
【００２３】
差し込み金具４１は、陶板３７の裏面に密接して固定される基板４１ａと、基板４１ａの両側縁を基板４１ａと垂直に折り曲げた折曲片４１ｂとからなる。基板４１ａには、陶板用リベット４３（図１参照）を挿入する透孔４１ｃを穿設してある。折曲片４１ｂの折り曲げ高さは、留付金具３９の挿入間隙３９ｃの高さより若干低く形成してある。また、差し込み金具４１の幅は、挿入間隙３９ｃの幅より若干狭く形成してある。従って、差し込み金具４１は、挿入間隙３９ｃにガタツキなく挿嵌される。
【００２４】
差し込み金具４１の差し込み側の先端は、角部を除去して傾斜面４１ｄを形成することで先端に向けて幅狭に形成してある。これにより、差し込み金具４１は、傾斜面４１ｄを案内面にして、挿入間隙３９ｃに容易に導入できるようになっている。
【００２５】
このように構成した取付具３１を用いての陶板３７の取付構造を説明する。
建物の不図示の躯体に固定した中空セメント板３３には、リベット穴３３ａを穿設してある。リベット３５の先端をリベット穴３３ａに挿入し、リベッターで、固定用フランジ３５ｂを中空セメント板３３に押し付けながら脚部３５ｇを引き抜き、膨出部３５ｈと固定用フランジ３５ｂとでリベット穴３３ａの周縁を挟持して、リベット３５を中空セメント板３３に固定する。
【００２６】
下方の陶板３７ａの上端には留付金具３９を固定しておき、上方の陶板３７ｂの下端には差し込み金具４１を固定しておく。
陶板３７ａは、留付金具３９の挿入穴３９ｅを、リベット３５の係合用フランジ３５ｃに挿入した後、下方へ移動することにより、係合板３９ａの係合穴３９ｆを係合用フランジ３５ｃに係止する。これにより、陶板３７ａの上端は、留付金具３９、リベット３５を介して中空セメント板３３に固定される。
【００２７】
次いで、上方で隣接する陶板３７ｂは、差し込み金具４１の先端を、陶板３７ａの留付金具３９の挿入間隙３９ｃに挿入する。これにより、陶板３７ｂの下端は、差し込み金具４１、留付金具３９、リベット３５を介して中空セメント板３３に固定される。
【００２８】
なお、陶板３７は、留付金具３９の挿入穴３９ｅを係合用フランジ３５ｃに挿入し、係合穴３９ｆが係合用フランジ３５ｃに係合するように下方へ移動すると同時に、下端の差し込み金具４１を下方の陶板３７の挿入間隙３９ｃへ挿入するようにして取り付ける。つまり、陶板３７の上端と下端とは、陶板３７の下方向の移動によって同時に取り付けられることになる。
【００２９】
以下同様の手順を繰り返すことで、複数の陶板３７を中空セメント板３３の上方へ連続して取り付けることができる。
【００３０】
また、図６に示すように中空セメント板３３の最下端に取り付ける陶板３７ｃは、陶板３７ａとで、中空セメント板３３同士の目地５１を挟むため、目地５１を横断することとなる差し込み金具４１を用いることができない。
【００３１】
従って、この場合には、リベット３５を１枚の陶板３７ｃに対して中空セメント板３３の上下二箇所に固定するとともに、陶板裏面の上下二箇所に留付金具３９を固定する。そして、中空セメント板３３に固定した一対のリベット３５の係合用フランジ３５ｃに、上下一対の留付金具３９の係合穴３９ｆを係合して、陶板３７ｃの上下端を中空セメント板３３に固定する。これにより、中空セメント板３３の目地５１で差し込み金具４１を露出させることなく、中空セメント板３３の最下端の陶板３７ｃを固定することができる。
【００３２】
なお、中空セメント板３３と陶板３７との間には沈み止め材５３及び弾性接着材５５が挟まれるようになっており、沈み止め材５３は陶板３７の沈みを防止し、弾性接着材５５は陶板３７の沈みを防止するとともに陶板３７の裏面を中空セメント板３３に接着している。
【００３３】
このように、本実施形態による陶板の取付構造によれば、リベット３５、留付金具３９、差し込み金具４１のみからなる取付具３１で陶板３７を固定することができ、しかも、留付金具３９、差し込み金具４１は単品であるため、部品点数を少なくして、取付具全体の部品コストを安価にすることができる。
【００３４】
そして、部品点数が少なくなるとともに、従来の取付具で必要であった陶板取付け毎の金具調整が不要となるので、陶板３７を容易に取り付けて行くことができ、作業性を高めることができる。
【００３５】
【発明の効果】
以上詳細に説明したように、請求項１に係る外壁用化粧板の取付構造によれば、中空セメント板に固定したリベットの係合用フランジに留付金具を係合するとともに、留付金具の挿入間隙に差し込み金具の先端を挿入して外壁用化粧板の上下端を中空セメント板に固定するので、取付具の部品点数を少なくして、部品コストを安価にでき、しかも、外壁用化粧板毎の金具調整を不要にして、作業性を高めることができる。
請求項３に係る外壁用化粧板の取付構造によれば、外壁用化粧板裏面の上下二箇所に留付金具を固定し、中空セメント板に固定した一対のリベットに、上下一対の留付金具を係合するので、中空セメント板の目地で差し込み金具を露出させずに、外壁用化粧板を中空セメント板に固定することができる。
請求項５に係る外壁用化粧板の取付具によれば、リベット、留付金具、差し込み金具のみで外壁用化粧板を中空セメント板に取り付けでき、しかも、それぞれが単品部品であるので、部品点数を少なくし、部品コストを安価にできるとともに、煩雑な部品管理もなくなり、作業性を高めることができる。
更に、請求項６に係るリベットによれば、胴部の基端に固定用フランジと、係合用フランジとを設けたので、専用治具で脚部を抜き切ることにより、容易な作業で、係合用フランジを中空セメント板から突出させた状態で固定することができる。
【図面の簡単な説明】
【図１】本発明に係る陶板の取付構造を示す断面図である。
【図２】図１の取付構造のＡ−Ａ矢視図である。
【図３】図１の取付構造に用いるリベットの側面図である。
【図４】図３のリベットを中空セメント板に固定した状態の側面図である。
【図５】図１の取付構造に用いる留付金具及び差し込み金具の斜視図である。
【図６】本発明に係る陶板の目地部における取付構造を示す断面図である。
【図７】従来の外壁用化粧板の取付構造を示す断面図である。
【図８】従来の外壁用化粧板の取付構造に用いる把持金具の斜視図である。
【符号の説明】
３１…取付具、３３…中空セメント板、３３ａ…リベット穴、３５…リベット、３５ａ…胴部、３５ｂ…固定用フランジ、３５ｃ…係合用フランジ、３５ｇ…脚部、３７…陶板（外壁用化粧板）、３９…留付金具、３９ａ…係合板、３９ｃ…挿入間隙、３９ｅ…挿入穴、３９ｆ…係合穴、４１…差し込み金具
【図１】
0003958419.tif 000002
【図２】
0003958419.tif 000003
【図３】
0003958419.tif 000004
【図４】
0003958419.tif 000005
【図５】
0003958419.tif 000006
【図６】
0003958419.tif 000007
【図７】
0003958419.tif 000008
【図８】
0003958419.tif 000009